(57)【要約】【課題】張り車の綱溝内に固着する潤滑油、塵埃等の異物を排除して、調速機ロープの動作異常による運行障害の発生を防止するエレベーターの調速機ロープ装置を得る。【解決手段】無端状をなし昇降路１に吊設された調速機ロープ３の下部湾曲部に張り車９を巻掛けて、張り車９の上方に綱溝の開口部に対向した摺擦具２１を設ける。そして、張り車９の綱溝に滴下した機器の潤滑油、塵埃等の異物の付着量が少ない段階で、摺擦具２１により摺擦して付着した異物を排除する。これによって、張り車９の綱溝に付着した異物のために異常音が発生したり、調速機ロープ３が張り車９の綱溝に拘束された状態になって停止したりする不具合の発生を未然に防止する。【選択図】        図１
2004323217.tif 000002
【特許請求の範囲】
【請求項１】
無端状をなしエレベーターの昇降路に吊設されて下部に湾曲部を形成した調速機ロープと、上記昇降路の下端部に設けられて綱溝に上記調速機ロープが巻掛けられて上記調速機ロープの湾曲部に跨装状態に配置された張り車と、この張り車を枢着した軸が設けられて下方に重り片が連結されたフレームと、このフレームと一体的に構成されて上部に上記張り車における綱溝の開口部に対応した支持部が設けられた支持体と、上記支持部に装着されて上記張り車の綱溝面に対向して配置されて上記綱溝の異物を摺擦する摺擦具とを備えたエレベーターの調速機ロープ装置。
【請求項２】
摺擦具を、台に植毛された合成樹脂製のブラシ及び上記台から突設されて互いに離れて配置されると共に上記ブラシの内に配置されて上記ブラシの植毛長さよりもやや短いピンによって構成されたものとしたことを特徴とする請求項１記載のエレベーターの調速機ロープ装置。
【請求項３】
摺擦具における張り車の綱溝面との対向面を、上記張り車の綱溝面に沿う形状に形成したものとしたことを特徴とする請求項１及び請求項２のいずれか一つに記載のエレベーターの調速機ロープ装置。
【発明の詳細な説明】
【０００１】
【発明の属する技術分野】
この発明は、昇降路に吊設されて調速機を駆動するエレベーターの調速機ロープ装置に関する。
【０００２】
【従来の技術】
従来のエレベーターの調速機ロープ装置において、無端状をなし一側がエレベーターのかごに連結された調速機ロープが昇降路に吊設される。そして、調速機ロープの下部に形成された湾曲部に、昇降路の下端部に配置された張り車が跨装状態に配置されて張り車の綱溝に調速機ロープが巻掛けられる。
【０００３】
従来のエレベーターの調速機ロープ装置は上記のように構成され、かごの昇降によって調速機ロープを介してエレベーターの調速機が駆動される。そして、かごの速度が所定値を超えると調速機が動作してかごの昇降が制動されるように構成されている。（例えば、特許文献１，２参照）。
【０００４】
【特許文献１】
特開平９−８６８２７号公報（第３図）
【特許文献２】
特開２００２−６０１５７号公報（第７図）
【０００５】
【発明が解決しようとする課題】
従来のエレベーターの調速機ロープ装置では、昇降路の下部に配置されて調速機ロープが巻掛けられた張り車に、調速機ロープのロープ油等エレベーター機器の潤滑油が滴下して付着し、また付着した潤滑油の上に塵埃が落下する。そして、張り車の綱溝内で潤滑油、塵埃からなる異物が、特に冬季において固まり易くなる。このような場合に固着した塵埃等の異物のために異常音が発生したり、調速機ロープが張り車の綱溝に拘束された状態になって停止したりしてエレベーター運行の障害となるという問題点があった。
【０００６】
この発明は、かかる問題点を解消するためになされたものであり、張り車の綱溝内に塵埃等の異物が固着しないエレベーターの調速機ロープ装置を得ることを目的とする。
【０００７】
【課題を解決するための手段】
この発明に係るエレベーターの調速機ロープ装置においては、無端状をなしエレベーターの昇降路に吊設されて下部に湾曲部を形成した調速機ロープと、昇降路の下端部に設けられて綱溝に調速機ロープが巻掛けられて調速機ロープの湾曲部に跨装状態に配置された張り車と、この張り車を枢着した軸が設けられて下方に重り片が連結されたフレームと、このフレームと一体的に構成されて上部に張り車における綱溝の開口部に対応した支持部が設けられた支持体と、支持部に装着されて張り車の綱溝面に対向して配置されて綱溝の異物を摺擦する摺擦具とが設けられる。
【０００８】
【発明の実施の形態】
実施の形態１．
図１〜図４は、この発明の実施の形態の一例を示す図で、図１はエレベーター昇降路の下部を概念的に示す正面図、図２は図１のＡ−Ａ線断面の要部を拡大して示す図、図３は図１の要部横断平面図、図４は図２の摺擦具の拡大斜視図である。図において、昇降路１の下端からエレベーターのかご（図示しない）の昇降を案内する案内レール２が立設される。
【０００９】
また、昇降路１内に無端状をなす調速機ロープ３が吊設されて下部に湾曲部を形成する。そして、案内レール２の下端寄りに装着されたブラケット４に回動腕５の一端が枢着され、他端には軸６が立設される。また、軸６における回動腕５の前面にフレーム７が嵌合されて、フレーム７の中心から下方に延長された柱体の下端に重り片８が連結される。
【００１０】
そして、軸６に張り車９が枢着されてフレーム７の前側に配置され綱溝１０に調速機ロープ３が巻掛けられて、調速機ロープ３の湾曲部に張り車９が跨装状態に配置される。また、フレーム７の両側の端部が屈折されて張り車９の外周に対向して配置されて調速機ロープ３の外れ止め１１が形成される。また、張り車９の反フレーム７側に板状をなす支持体１２が配置されて、両側の縁部が屈折されて外れ止め１１に重合した締結部１３が形成される。
【００１１】
また、支持体１２は締結部１３に挿通されて外れ止め１１にねじ込まれたボルト１４によってフレーム７に締結される。そして、支持体１２の上縁部が屈折されて張り車９の綱溝１０の上方に対向して配置された支持部１５が形成されて、支持部１５の下面にＬ字状の取付金具１６のＬ字の一辺が締結される。
【００１２】
そして、台１７、台１７の上面から突設された取付板１８、台１７の下面に植毛された合成樹脂製のブラシ１９及び台１７の下面から下方に突設されて互いに離れて配置されると共にブラシ１９の内に配置されブラシ１９の植毛長さよりもやや短いピン２０によって摺擦具２１が構成される。
【００１３】
また、摺擦具２１は取付板１８を介して取付金具１６のＬ字の他辺に締結されて、張り車９の綱溝１０面にブラシ１９及びピン２０が僅かな空隙を形成して対向して配置される。なお、摺擦具２１における張り車９の綱溝１０面との対向面、すなわち綱溝１０面と対向するブラシ１９及びピン２０の先端位置は、綱溝１０の幅方向において綱溝１０の横断面に沿うＵ字状に、また綱溝１０の長手方向において円周形状に沿う凹面形に形成されている。
【００１４】
上記のように構成されたエレベーターの調速機ロープ装置において、昇降路１の下部に配置されて調速機ロープ３が巻掛けられた張り車９の綱溝１０面に、調速機ロープ３のロープ油等のエレベーター機器の潤滑油が滴下して付着し、また付着した潤滑油の上に塵埃が落下する。しかし、張り車９の上側において綱溝１０面に僅かな空隙を形成して対向して、摺擦具２１のブラシ１９及びピン２０が配置される。
【００１５】
これによって、張り車９の綱溝１０に滴下した調速機ロープ３のロープ油等のエレベーター機器の潤滑油、落下した塵埃等からなる異物の付着量が少ない段階で摺擦具２１のブラシ１９によって摺擦されて排除される。このため、張り車９の綱溝１０に付着した異物のために異常音が発生したり、調速機ロープ３が張り車９の綱溝１０に拘束された状態になって停止したりすることによるエレベーターの運行障害の発生を未然に防止することができる。
【００１６】
また、張り車９の綱溝１０に滴下した潤滑油、塵埃等の異物が冬季において固化し易くなるが、この場合にも付着量が少ない段階で摺擦具２１のピン２０によって押し退けられて排除される。このようなときにも固着した異物のために異常音が発生したり、調速機ロープが張り車の綱溝に拘束された状態になって停止したりすることによるエレベーターの運行障害の発生を未然に防止することができる。
【００１７】
【発明の効果】
この発明は以上説明したように、無端状をなしエレベーターの昇降路に吊設されて下部に湾曲部を形成した調速機ロープと、昇降路の下端部に設けられて綱溝に調速機ロープが巻掛けられて調速機ロープの湾曲部に跨装状態に配置された張り車と、この張り車を枢着した軸が設けられて下方に重り片が連結されたフレームと、このフレームと一体的に構成されて上部に張り車における綱溝の開口部に対応した支持部が設けられた支持体と、支持部に装着されて張り車の綱溝面に対向して配置されて綱溝の異物を摺擦する摺擦具とを設けたものである。
【００１８】
これによって、張り車の綱溝に滴下したエレベーター機器の潤滑油、塵埃等の異物の付着量が少ない段階で摺擦具によって異物が摺擦されて排除される。このため、張り車の綱溝に付着した潤滑油、塵埃等の異物のために異常音が発生したり、調速機ロープが張り車の綱溝に拘束された状態になって停止したりすることによるエレベーターの運行障害の発生を未然に防止する効果がある。
【図面の簡単な説明】
【図１】この発明の実施の形態１を示す図で、エレベーター昇降路の下部を概念的に示す正面図。
【図２】図１のＡ−Ａ線断面の要部を拡大して示す図。
【図３】図１の要部横断平面図。
【図４】図２の摺擦具の拡大斜視図。
【符号の説明】
１  昇降路、３  調速機ロープ、６  軸、７  フレーム、８  重り片、９  張り車、１０  綱溝、１２  支持体、１５  支持部、１７  台、１９  ブラシ、２０  ピン、２１  摺擦具。
【図１】
2004323217.tif 000003
【図２】
2004323217.tif 000004
【図３】
2004323217.tif 000005
【図４】
2004323217.tif 000006